(57)【要約】【課題】低い投入口（４）より高い排出口（６）へゴミ袋を連続移送できる構造を提供する。【解決手段】筐体（２）内で回転する平面羽根（８）により円筒形側面（１）方向にすくいあげ，傾斜羽根（１２）により軸方向に滑らせて，ゴミ袋を移送できるようにしたことを特徴とする。【選択図】　　図１
2004123372.tif 000002
【特許請求の範囲】
【請求項１】
前面壁（１）の下部に投入口（２）中央部に前部軸受（３），後面壁（４）の上部に排出口（５）中央部に後部軸受（６）を設けた筐体（７）の内部に，前部軸受（３）及び後部軸受（６）に支持された回転軸（８）を中心にして前後方向に横置きされた円筒形の羽根車（９）を設け，羽根車（９）は内筒（１０），回転軸（８），平面羽根（１１）及び傾斜羽根（１２）により構成され，回転軸（８）上に法線方向に複数の平面羽根（１１）を放射状に平行に設け，平面羽根（１１）の外周端（１３）を内筒（１０）の内面に連結させ，平面羽根（１１）の前面（１４）を前面壁（１）の内面に，後面（１５）を後面壁（４）の内面に近接させ，平面羽根（１１）の回転方向側の側面に直角に，前端（１６）が外周方向に後端（１７）が軸中心方向に傾斜した傾斜羽根（１２）を設け，傾斜羽根（１２）の前端（１６）を前面壁（１）の内面に，後端（１７）を後面壁（４）の内面に近接させ，平面羽根（１１）が回転軸（８）の上部に来たとき，傾斜羽根（１２）の後端（１７）を排出口（５）の下縁部（１８）より上方に位置させるようにし，平面羽根（１１）が回転軸（８）の下部に来たとき，傾斜羽根（１２）の前端（１６）を投入口（２）の下縁部（１９）より下方に位置させるように構成したことを特徴とする回転型ゴミ袋投入装置。
【請求項２】
円筒形の羽根車（９）より内筒（１０）を除去し，筐体（７）の全側面を円筒形側板（２０）にし，平面羽根（１１）の外周端（１３）を円筒形側板（２０）の内面に近接させるように構成したことを特徴とする請求項１に記載の回転型ゴミ袋投入装置。
【請求項３】
側面投入口（２１）を円筒形側板（２０）に設けるように構成したことを特徴とする請求項２に記載の回転型ゴミ袋投入装置。
【発明の詳細な説明】
【０００１】
【発明の属する技術分野】
設置床面からゴミ袋を直接投入できるゴミ袋投入装置に関するものである。
【０００２】
【従来の技術】
従来のゴミ貯留装置では，ゴミ収集車へ排出する高さを基準にして装置の基準高さが設計されていたためゴミ貯留装置の投入口の高さが高くなり，装置を設置した同じ床面に立って人がゴミを直接投入することができない構造であった。その対策として，ゴミ投入用階段やステップを配設して直接投入を可能にしていた。
【０００３】
【発明が解決しようとする課題】
最近になって身体障害者への配慮の観点から，住宅建設の必須条件としてバリアフリー（搬送路面の段差の排除）の考え方が義務付けられるようになり，住宅からでるゴミ袋の投入に際しても，身体障害者が車椅子から容易に直接投入できる設備が要求されるようになった。これに対して新しく開発されるゴミ貯留装置にはこの観点からの配慮がなされつつあるが，既設のゴミ貯留装置に対しては，従来から併設しているゴミ投入用階段やステップに対する代替案が早急に必要になってきた。
本発明は従来のゴミ投入用階段やステップの代わりに，既設のゴミ貯留装置に付設して簡易な投入装置を提供しようとするものであるが，それには少なくとも次のような課題を解決する必要がある。すなわち，
［課題１］連続投入が可能なこと
住宅地でのゴミ投入は朝などの一定時間に集中するために待ち時間をなくすように連続した投入が可能であることが要求される。したがって従来機械装置への投入に一般的に使用されているコンテナ反転機の類は，コンテナへの投入，上昇，反転，下降という一連の作業工程が済まないと次の投入ができない断続的な投入になるため利用できない。
［課題２］装置の投入口及び排出口の高さに制限があること
既設のゴミ貯留装置が設置された同じ床面から身体障害者が車椅子で投入できるような床面からの投入口高さ（通常床面から７００〜９００ｍｍまでの高さ）が必要であり，反対に排出口の高さは，既設ゴミ貯留装置の機械投入口の高さ（通常床面から１５００以上の高さ）以上の高さが必要となる。
また一般にゴミ貯留装置は屋内に設置されるために装置の高さが制限されるので，ゴミ袋投入装置の全高は既設ゴミ貯留装置の全高より高くはできないという制限がある。本発明は以上のような課題を解決するためのものである。
【０００４】
【課題を解決するための手段】
請求項１は，［課題１］及び［課題２］を解決する手段として，回転する円筒形の羽根車（９）内に投入されたゴミ袋が，平面羽根（１１）よって上部に持ち上げられ次いで傾斜羽根（１２）により後方へ滑り降り排出口より落下するという手段を提供する。すなわち，
前面壁（１）の下部に投入口（２）と中央部に前部軸受（３），後面壁（４）の上部に排出口（５）と中央部に後部軸受（６），を筐体（７）に設ける。
筐体（７）の内部に，前部軸受（３）及び後部軸受（６）に支持された回転軸（８）を設け，回転軸（８）を中心にして前後方向に横置きされた円筒形の羽根車（９）を設ける。
羽根車（９）は内筒（１０），回転軸（８），平面羽根（１１）及び傾斜羽根（１２）により構成される。
回転軸（８）上に法線方向に複数の平面羽根（１１）を放射状に平行に設け，平面羽根（１１）の外周端（１３）を内筒（１０）の内面に連結させ，平面羽根（１１）の前面（１４）を前面壁（１）の内面に，後面（１５）を後面壁（４）の内面に近接させる。
平面羽根（１１）の回転方向側の側面に直角に，傾斜羽根（１２）の前端（１６）が外周方向に，後端（１７）が軸中心方向に傾斜した傾斜羽根（１２）を設け，傾斜羽根（１２）の前端（１６）を前面壁（１）の内面に，後端（１７）を後面壁（４）の内面に近接させる。
平面羽根（１１）が回転軸（８）の上部に来たとき，傾斜羽根（１２）の後端（１７）を排出口（５）の下縁部（１８）より上方に位置させるようにし，平面羽根（１１）が回転軸（８）の下部に来たとき，傾斜羽根（１２）の前端（１６）を投入口（２）の下縁部（１９）より下方に位置させるように構成する。
【０００５】
請求項２は，［課題１］及び［課題２］を解決すると同時に，請求項１に記載の回転型ゴミ袋投入装置をさらに簡単にしてコストをさげるために，羽根車（９）の円筒形の内筒（１０）を削減する代わりに，筐体（７）の全側面を円筒形にするの手段を提供する。
すなわち，請求項１に記載の回転型ゴミ袋投入装置に対して，
円筒形の羽根車（９）より内筒（１０）を除去し，筐体（７）の全側面を円筒形側板（２０）にする。
平面羽根（１１）の外周端（１３）を円筒形側板（２０）の内面に近接させるように構成する。
【０００６】
請求項３は，［課題１］及び［課題２］を解決すると同時に，請求項２では前面壁に投入口，後面壁に排出口があったのに対して，後面壁の排出口の位置に対し，側方からの投入を可能にした手段を提供する。すなわち，請求項２に記載の回転型ゴミ袋投入装置に対して，側面投入口（２１）を円筒形側板（２０）に設けるように構成する。
【０００７】
【発明の実施の形態】
本発明の請求項１の実施例について説明する。
図１は本発明による回転型ゴミ袋投入装置の側面図，図２は後面図を示している。筐体（７）の前面壁（１）の下部に投入口（２）と中央部に前部軸受（３），後面壁（４）の上部に排出口（５）と中央部に後部軸受（６）を設ける。
排出口（５）は既設のゴミ貯留装置の投入口（２２）部に連結している。
筐体（７）の内部に，前部軸受（３）及び後部軸受（６）に支持された回転軸（８）を設け，回転軸（８）はその後端に設けたスプロケット大（２３），チェーン（２４），スプロケット小（２５）を経由してモーター（２６）によって回転するように構成されている。
また回転軸（８）を中心にして前後方向に横置きされた円筒形の羽根車（９）を設ける。羽根車（９）は内筒（１０），回転軸（８），平面羽根（１１）及び傾斜羽根（１２）により構成される。
図３は図１のＡ−Ａ矢視断面図を示し，図４は図３のＢ−Ｂ矢視断面図を示している。図３および図４に示すように，回転軸（８）上に法線方向に複数の平面羽根（１１）を放射状に平行に設け，平面羽根（１１）の外周端（１３）を内筒（１０）の内面に連結させ，平面羽根（１１）の前面（１４）を前面壁（１）の内面に，後面（１５）を後面壁（４）の内面に近接させる。
平面羽根（１１）の回転方向側の側面に直角に，傾斜羽根（１２）の前端（１６）が外周方向に後端（１７）が軸中心方向に傾斜した傾斜羽根（１２）を設け，傾斜羽根（１２）の前端（１６）を前面壁（１）の内面に，後端（１７）を後面壁（４）の内面に近接させる。
平面羽根（１１）が回転軸（８）の上部に来たとき，傾斜羽根（１２）の後端（１７）を排出口（５）の下縁部（１８）より上方に位置させるようにし，平面羽根（１１）が回転軸（８）の下部に来たとき，傾斜羽根（１２）の前端（１６）を投入口（２）の下縁部（１９）より下方に位置させるように構成する。
【０００８】
本発明は以上のような構造でこれを使用するときには次のようにする。
図５は図３を右に４５度回転させた状態を示す。モーター（２６）を駆動させると，スプロケット小（２５），チェーン（２４）およびスプロケット大（２３）を介して回転軸（８）は後面からみて右回転を始める。
投入口（２）から投入されたゴミ袋（２７）は内筒（１０）の内底部（ａ点）に落下し，次に平面羽根（１１）によってすくいあげられ，内筒（１０）の内面とともに上昇し，平面羽根（１１）が水平となる位置（ｂ点）に到り，図３に示す状態となる。この位置では傾斜羽根（１２）の前端（１６）および後端（１７）は同じ高さにあるが，傾斜羽根（１２）が最上昇点（ｃ点）に到る過程で前端（１６）が後端（１７）よりも高くなる。
ｂ点でのゴミ袋（２７）は傾斜羽根（１２）に囲まれた形で平面羽根（１１）上にあるが，ｃ点に到る過程の中で傾斜羽根（１２）の上に移り，傾斜羽根（１２）の前端（１６）および後端（１７）の高低差が十分になった時点で傾斜羽根（１２）上を前面壁（３）側から後面壁（４）側へ滑り落ち，排出口（５）より既設のゴミ貯留装置の投入口（２２）内に移送される。
また回転軸（８）を連続して回転させれば，平面羽根（１１）と傾斜羽根（１２）は以上のような工程を連続して行うので，ゴミ袋（２７）は投入口（２）より連続投入が可能になる。
【０００９】
次に請求項２の実施形態の一例について，図６によって説明する。
図６に示す請求項２の回転型ゴミ袋投入装置の構造は，図５に示す請求項１の回転型ゴミ袋投入装置の円筒形羽根車（９）より内筒（１０）を除去し，筐体（７）の全側面を円筒形側板（２０）にし，平面羽根（１１）の外周端（１３）を円筒形側板（２０）の内面に近接させるように構成したものである。
図５と図６との作動上の違いは，図５では投入されたゴミ袋（２７）は内筒（１０）内面に載ったまま上昇し転動するが．図６ではゴミ袋（２７）は平面羽根（１１）に掬われながら円筒形側板（２０）の内面を摺動する点が異なる。したがって，図６の場合はゴミ袋（２７）が破れると円筒形側板（２０）の内面に散乱し，平面羽根（１１）の外周端（１３）と円筒形側板（２０）との隙間から漏れて，円筒形側板（２０）の内面にゴミが残留する可能性がある。これに対して図５の場合にはゴミ袋（２７）が破れても，散乱したゴミは内筒（１０）内面と平面羽根（１１）に掬われて排出口（５）より移送することができる。
しかし図６は円筒形側板（２０）の外部に筐体を特別に必要としないので，図５に比してコストを大幅に削減擦ることができる経済的な手段である。
【００１０】
次に請求項３の実施形態の一例について，図７によって説明する。
図７は，図６に示す回転型ゴミ袋投入装置の前面壁（１）の投入口（２）のかわりに，後面からみて円筒形側板（２０）の右側面部に側面投入口（２１）を設けるように構成した構造である。
側面投入口（２１）から投入されたゴミ袋（２７）はまず円筒形側板（２０）の内底部（ａ点）に落下し，後は請求項２で述べた同じ工程で移送され排出口（５）より排出される。
請求項３の手段は，［課題２］に示す既設ゴミ貯留装置の投入口の前面部が狭く請求項１の装置の付設が困難な場合に有効な手段となる。
【００１１】
【発明の効果】
本発明は先に示された［課題］について次のような効果をもっている。
［課題１］の連続投入については，回転軸（８）を連続回転させれば，平面羽根（１１）と傾斜羽根（１２）は連続した移送工程を行うので，ゴミ袋（２７）は投入口（２）より連続投入が可能になり，ゴミ投入の待ち時間をなくすことができる。
［課題２］の投入高さの増大については，図１に示すように，身体障害者が車椅子から容易に直接投入できる高さＨが，この装置によって，直接投入が不可能な既設ゴミ貯留装置の機械投入高さＭに置き換えられることになる。投入高さＭは平面羽根（８）の外径を大きくすれば自由に大きくすることができる。
また，装置の奥行きについては，円筒形側面の巾Ｄは，最低でゴミ袋の巾以上であれば構造は成立するので非常に装置の奥行きを小さくすることが可能であり，既設のゴミ貯留装置に追加設置することが可能である。また請求項３の手段は，既設ゴミ貯留装置の投入口の前面部が狭く請求項１の装置の付設が困難な場合に有効な手段として適用することができる。
また本発明は次のような経済的な効果を有している。既設のゴミ貯留装置はゴミ収集車へ排出する高さを基準にして装置の高さが設計されている。したがって身体障害者が車椅子から容易に直接投入できる高さまでに投入口を低く改造することは非常に困難である。また新しく開発されるゴミ貯留装置についても，装置自体が大きいために，投入口の高さの変更は設計の基本条件に抵触してくるかなり困難な要求であり，大きな開発改造コストを要するものである。
本発明によるゴミ袋投入装置は構造が単純で，装置の奥行きを非常に小さくできるので，従来のゴミ投入用階段やステップの配設に比して廉価なコストで建造できる経済的な利点を有している。
すなわち，本発明はバリアフリーという社会的な問題およびその実現に伴う経済的な問題に対して，優れた効果を提供するものであり，産業と経済の発展ばかりでなく，社会的環境問題に大きく寄与するものである。
【図面の簡単な説明】
【図１】本発明の実施例の一例である側面図を示す。
【図２】本発明の実施例の後面図を示す。
【図３】図１のＡ−Ａ矢視断面図を示す。
【図４】図３のＢ−Ｂ矢視断面図を示す。
【図５】図３を右周りに４５度回転させた状態を示す。
【図６】図５に示す円筒形羽根車（９）より内筒（１０）を除去し，筐体（７）の全側面を円筒形側板（２０）にした構造を示す。
【図７】図６の投入口の代わりに側面投入口を設けた状態を示す。
【符号の説明】
１　　　　前面壁　　　　　　　　　１２　　　　傾斜羽根
２　　　　投入口　　　　　　　　　１３　　　　外周端
３　　　　前部軸受　　　　　　　　１４　　　　前面
４　　　　後面壁　　　　　　　　　１５　　　　後面
５　　　　排出口　　　　　　　　　１６　　　　前端
６　　　　後部軸受　　　　　　　　１７　　　　後端
７　　　　筐体　　　　　　　　　　１８　　　　下縁部
８　　　　回転軸　　　　　　　　　１９　　　　下縁部
９　　　　羽根車　　　　　　　　　２０　　　　円筒形側板
１０　　　　内筒　　　　　　　　　　２１　　　　側面投入口
１１　　　　平面羽根
【図１】
2004123372.tif 000003
【図２】
2004123372.tif 000004
【図３】
2004123372.tif 000005
【図４】
2004123372.tif 000006
【図５】
2004123372.tif 000007
【図６】
2004123372.tif 000008
【図７】
2004123372.tif 000009